Podtech/llm-jp-corpus-v4-ja_patent huggingface dataset:
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
地中灌漑チューブの領域を根または微生物集団の侵入から保護するための水性流体灌漑システムにおいて、地中灌漑チューブを覆う多孔性カバーを含み、前記カバーがチューブ表面の前記領域を本質的に覆い、前記カバーが３５ミクロン未満のピーク空隙容積を特徴とする非プレキシフィラメント状材料を含み、５００平方ミクロン以下の面積の前記非プレキシフィラメント状材料の任意の平面領域が、水性流体に暴露される時に連続したままである連続ポリマー構造を含有する、水性流体灌漑システム。
【請求項２】
前記連続ポリマー構造が微孔性フィルムである、請求項１に記載の灌漑システム。
【請求項３】
前記チューブが本質的に前記非プレキシフィラメント状材料からなる、請求項１に記載の灌漑システム。
【請求項４】
前記カバーがパッチの形態である、請求項１に記載の灌漑システム。
【手続補正２】
【補正対象書類名】明細書
【補正対象項目名】００６６
【補正方法】変更
【補正の内容】
【００６６】
別の場合、１０５５Ｂおよび１０７３Ｂの全空隙スペース容積の２倍を超える全空隙スペース容積を有するよりいっそうの開放構造を有するＮＷ１は根の侵入を受けた。反対に、Ｔｙｖｅｋ（登録商標）１０７３Ｂ灌漑チューブの一方の面に付着されて覆う新聞用紙は根の侵入を起こしたが、Ｔｙｖｅｋ（登録商標）の面のどれも、紙と接触している面も他方の面も根の侵入を起こさなかった。紙空隙スペースの大部分は、０．５〜３４．７マイクロメートルの間である点においてプレキシフィラメント状ウェブに似ているが、紙は親水性であり、湿潤時にそれはその固められた連続構造を失い、根が貫通し得る。
本発明のまた別の態様は、以下のとおりであってもよい。
〔１〕地中灌漑チューブの領域を根または微生物集団の侵入から保護するための水性流体灌漑システムにおいて、地中灌漑チューブを覆う多孔性カバーを含み、前記カバーがチューブ表面の前記領域を本質的に覆い、前記カバーが３５ミクロン未満のピーク空隙容積を特徴とする非プレキシフィラメント状材料を含み、５００平方ミクロン以下の面積の前記非プレキシフィラメント状材料の任意の平面領域が、水性流体に暴露される時に連続したままである連続ポリマー構造を含有する、水性流体灌漑システム。
〔２〕３００平方ミクロン以下の面積の前記材料の任意の平面領域が、水性流体に暴露される時に連続したままである連続ポリマー構造を含有する、前記〔１〕に記載の灌漑システム。
〔３〕１００平方ミクロン以下の面積の前記材料の任意の平面領域が、水性流体に暴露される時に連続したままである連続ポリマー構造を含有する、前記〔１〕に記載の灌漑システム。
〔４〕５０平方ミクロン以下の面積の前記材料の任意の平面領域が、水性流体に暴露される時に連続したままである連続ポリマー構造を含有する、前記〔１〕に記載の灌漑システム。
〔６〕前記連続ポリマー構造が微孔性フィルムである、前記〔１〕に記載の灌漑システム。
〔７〕前記チューブが本質的に前記非プレキシフィラメント状材料からなる、前記〔１〕に記載の灌漑システム。
〔８〕前記非プレキシフィラメント状材料が繊維を含み、前記連続ポリマー構造が複数の固められた繊維から形成される、前記〔１〕に記載の灌漑システム。
〔９〕前記固められた繊維が、任意の与えられた繊維が少なくとも２つの他の繊維に接着される三次元網目構造材料に固められる、前記〔８〕に記載の灌漑システム。
〔１０〕前記材料がＳＭＳ構造を有する、前記〔９〕に記載の灌漑システム。
〔１１〕前記固められた繊維が、熱接着、溶剤接着、接着剤接着および前述のものの任意の組合せからなる群から選択される手段によって固められている、前記〔８〕に記載の灌漑システム。
〔１２〕前記カバーがパッチの形態である、前記〔１〕に記載の灌漑システム。
〔１３〕地中灌漑チューブの領域を根または微生物集団の侵入から保護するための方法において、多孔性カバーを領域の上に提供する工程を含み、表面カバーが前記チューブ表面の前記領域を本質的に覆い、前記カバーが、ピーク空隙容積を特徴とし得る米国特許第７，７４４，９８９号明細書に記載される方法によって製造された材料を含み、ピーク空隙容積が３５ミクロン未満であり、５００平方ミクロン以下の面積の前記材料の任意の平面領域が、水性流体に暴露される時に連続したままである連続ポリマー構造を含有する、方法。
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
ｉ）５’末端反復配列(ＬＴＲ)及び自己不活型３’ＬＴＲ；
ii）少なくとも１つのポリアデニル化シグナル；
iii）少なくとも１つのプロモーター；
iv）グロビン遺伝子の遺伝子座調節領域(ＬＣＲ)；
ｖ）アンキリン・インスレーター配列(Ａｎｋ)；
vi）標的ゲノムの中に組込まれないよう構成されたウッドチャック後調節エレメント(ＷＰＲＥ)；及び、
vii）βＴ８７Ｑ変異を含む改変ヒトβグロビン(Ｂ-グロビンＭ)をコードする配列に逆相補的な配列であって、ここで、Ｂ-グロビンＭをコードする配列は、当該Ｂ-グロビンＭ配列のエクソン１とエクソン２の間に第一イントロン(イントロン１)、及びエクソン２とエクソン３の間に第二イントロン(イントロン２)を含み、イントロン２は、ヒトＢ-グロビンＭイントロン２配列のヌクレオチドを４７６より多く含む；
を含むポリヌクレオチド。
【請求項２】
請求項１に記載のポリヌクレオチドを含むレンチウイルス・ベクター。
【請求項３】
さらに、Ｌｄｂ１転写因子及び亜鉛フィンガー(ＺＦ)ドメインの融合物をコードする配列を含む、請求項１に記載のポリヌクレオチド。
【請求項４】
さらに、トランスフェリン受容体１をコードするｍＲＮＡに逆相補性を有するＲＮＡポリヌクレオチドをコードする配列を含み、ここで、前記ＲＮＡポリヌクレオチドは、ミクロＲＮＡ又はｓｈＲＮＡ配列を含み、ＲＮＡｉ-介在プロセスにおいて、トランスフェリン受容体１ｍＲＮＡを減少させる能力を有する、請求項１に記載のポリヌクレオチド。
【請求項５】
前記イントロン２が、成人ヒトＢ-グロビンＭイントロン２配列の８５１のヌクレオチドを含む、請求項１に記載のポリヌクレオチド。
【請求項６】
異常ヘモグロビン症の治療用である、請求項１に記載のポリヌクレオチド。
【請求項７】
前記異常ヘモグロビン症が、鎌状赤血球貧血(ＳＣＡ)又はβ-サラセミアである、請求項６に記載のポリヌクレオチド。
【請求項８】
赤血球及び／又は赤血球前駆細胞に、請求項１に記載のポリヌクレオチドを導入することを含む、赤血球及び／又は赤血球前駆細胞に、ヒトβ-グロビンの発現を誘導する方法。
【請求項９】
前記赤血球前駆細胞がＣＤ３４＋細胞を含む、請求項８に記載の方法。
【請求項１０】
前記ＣＤ３４＋細胞が、異常ヘモグロビン症を有する個体に由来する、請求項９に記載の方法。
【請求項１１】
前記ヒトβ-グロビンが、成人ヘモグロビン、胎児ヘモグロビン、Ｂ-グロビンＭ、又はその組み合わせを含む、請求項８に記載の方法。
【請求項１２】
ウイルス粒子を含む医薬組成物であって、前記ウイルス粒子がそれぞれ、請求項２に記載のレンチウイルス・ベクターを含むＲＮＡ鎖を含む、医薬組成物。
【請求項１３】
一以上の異常ヘモグロビン症の予防及び／又は治療で使用するためのウイルス粒子製剤を製造する方法であって、請求項１に記載のポリヌクレオチドを、少なくとも１つのビリオンタンパク質をコードするＤＮＡパッケージング・プラスミド、エンベロープタンパク質をコードするＤＮＡエンベロープ・プラスミドを含むパッケージング細胞に導入すること、前記ビリオンタンパク質と前記エンベロープタンパク質を発現させ、ウイルス粒子を形成させること、及び前記パッケージング細胞から前記ウイルス粒子を分離することを含む、方法。
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
ヒトCD1dに結合する単一ドメイン抗体を少なくとも1つ含む化合物であって、単一ドメイン抗体が、相補性決定領域CDR1、CDR2、及びCDR3を含み、CDR1が、配列番号22と少なくとも60%の配列同一性を有するアミノ酸配列を含み、CDR2が、配列番号43と少なくとも60%の配列同一性を有するアミノ酸配列を含み、CDR3が、配列番号75に示すアミノ酸配列又は配列番号75の保存的配列バリアントを含む、化合物。
【請求項２】
ヒトCD1dに結合する単一ドメイン抗体を少なくとも1つ含む化合物であって、単一ドメイン抗体が、配列番号33、配列番号54、及び配列番号75にそれぞれ示す相補性決定領域CDR1、CDR2、及びCDR3、又はその保存的配列バリアントを有する、化合物。
【請求項３】
ヒトCD1dに結合する単一ドメイン抗体を少なくとも1つ含む化合物であって、単一ドメイン抗体が、配列番号33、配列番号54、及び配列番号75にそれぞれ示す相補性決定領域CDR1、CDR2、及びCDR3を有する、化合物。
【請求項４】
配列番号12に示すアミノ酸配列又はその保存的配列バリアントを含む、請求項１〜３のいずれか一項に記載の化合物。
【請求項５】
更なる単一ドメイン抗体を含む、請求項１〜４のいずれか一項に記載の化合物。
【請求項６】
二重特異性若しくは多重特異性化合物である、請求項１〜５のいずれか一項に記載の化合物。
【請求項７】
化合物が標識を含み、化合物に薬学的活性剤が連結されており、単一ドメイン抗体がヒト化されており、化合物が二価若しくは多価化合物であり、化合物が、抗原、ペプチド、若しくはヌクレオチド配列に融合され、化合物がリポソームであり、化合物がウイルスであり、及び/又は化合物がナノ粒子である、請求項１〜６のいずれか一項に記載の化合物。
【請求項８】
単一ドメイン抗体、及び好ましくは化合物が、ヒトCD1dには結合するが、ヒトCD1a、ヒトCD1b及び/又はヒトCD1cには結合しない、請求項１〜７のいずれか一項に記載の化合物。
【請求項９】
インバリアントナチュラルキラーT細胞を含むCD1d拘束性T細胞の活性化を誘導すること及び/又は糖脂質、例えば、アルファ-ガラクトシルセラミド誘導性の、インバリアントなナチュラルキラーT細胞を含むCD1d拘束性T細胞の活性化を刺激することができる、請求項１〜８のいずれか一項に記載の化合物。
【請求項１０】
化合物が単一ドメイン抗体であり、化合物が、配列番号33、配列番号54、及び配列番号75にそれぞれ示す相補性決定領域CDR1、CDR2、及びCDR3、又はその保存的配列バリアントを有する単一ドメイン抗体であるか、又は単一ドメイン抗体が、配列番号12に示すアミノ酸配列又はその保存的配列バリアントを有する、請求項１〜９のいずれか一項に記載の化合物。
【請求項１１】
単一ドメイン抗体がヒト化単一ドメイン抗体であり、好ましくは、化合物がヒト化単一ドメイン抗体である、請求項１〜１０のいずれか一項に記載の化合物。
【請求項１２】
ヒトCD1dに結合する抗体、好ましくは単一ドメイン抗体を含み、抗体、好ましくは単一ドメイン抗体が、相補性決定領域CDR1、CDR2、及びCDR3を含み、CDR1、CDR2、及びCDR3が、表１に示されるVHH番号12について示すCDR1、CDR2、及びCDR3それぞれのアミノ酸配列に対して、少なくとも80%、90%、95%、又は100%のアミノ酸配列同一性を有するアミノ酸配列を有する、請求項１〜１１のいずれか一項に記載の化合物。
【請求項１３】
医学的処置における使用のため、又は診断薬としてのインビボでの使用のための、請求項１〜１２のいずれか一項に記載の化合物。
【請求項１４】
化合物がインビトロで使用されるか又は化合物がインビトロの診断方法において使用される、請求項１〜１３のいずれか一項に記載の化合物の使用。
【請求項１５】
請求項１〜１２のいずれか一項に記載の化合物を含む、医薬組成物。
【請求項１６】
請求項１〜１２のいずれか一項に記載の化合物をコードするヌクレオチド配列。
【請求項１７】
配列番号33に示すアミノ酸配列若しくはその保存的配列バリアント、及び配列番号54に示すアミノ酸配列若しくはその保存的配列バリアント、及び配列番号75に示すアミノ酸配列若しくはその保存的配列バリアントを含む化合物をコードする、請求項１６に記載のヌクレオチド配列。
【請求項１８】
請求項１６又は１７に記載のヌクレオチド配列を含む、宿主細胞又は非ヒト生物。
【請求項１９】
請求項１〜１２のいずれか一項に記載の化合物又はその一部を産生する、請求項１８に記載の宿主細胞。
【請求項２０】
請求項１〜１２のいずれか一項に記載の化合物を調製するための方法であって、請求項１８に記載の宿主細胞に、前記化合物又はその一部を発現させる工程;及び前記化合物を得る工程を含む、方法。
【請求項２１】
CDR1、CDR2、及びCDR3を含む抗体であって、CDR1が、配列番号33に示すアミノ酸配列又はその保存的配列バリアントを有し、CDR2が、配列番号54に示すアミノ酸配列又はその保存的配列バリアントを有し、CDR3が、配列番号75に示すアミノ酸配列又はその保存的配列バリアントを有し、好ましくは、CDR1、CDR2、及びCDR3が、表１のVHH番号12について示すCDR1、CDR2、及びCDR3それぞれのアミノ酸配列に対して、少なくとも80%、90%、95%、又は100%のアミノ酸配列同一性を有するアミノ酸配列を有する、抗体。
【誤訳訂正書】
【提出日】平成31年3月7日(2019.3.7)
【誤訳訂正１】
【訂正対象書類名】明細書
【訂正対象項目名】０１５３
【訂正方法】変更
【訂正の内容】
【０１５３】
本明細書中で用いる“ベクター”は、適切な宿主生物において、クローニングされた組換えヌクレオチド配列、すなわち組換え遺伝子を転写し、それらのｍＲＮＡを翻訳するのに必要な、ＤＮＡ配列と定義される。
【誤訳訂正２】
【訂正対象書類名】明細書
【訂正対象項目名】０１６０
【訂正方法】変更
【訂正の内容】
【０１６０】
ポリペプチドまたはタンパク質、たとえば単離された本発明の抗体またはエピトープに関して、用語“単離された”は、具体的には自然状態でそれらに付随する物質、たとえばそれらの自然環境で、または製造がインビトロもしくはインビボで実施される組換えＤＮＡ法による場合にはそれらが製造される環境（たとえば、細胞培養）で、それらと共にみられる他の化合物を含まないかまたは実質的に含まない化合物を表わすものとする。単離された化合物に希釈剤または佐剤を配合してもなお実用上の目的では単離されているという可能性がある−たとえば、診断または療法に用いる際にそれらのポリペプチドまたはポリヌクレオチドを医薬的に許容できるキャリヤーまたは賦形剤と混合することができる。特に、本発明の単離された抗体は単離された純粋な形態で提供され、好ましくは単離された抗体を唯一の活性物質として含む製剤で提供されるので、クレブシエラ・ニューモニエ株に対して形成されたポリクローナル血清製剤とは異なる。ただし、これは単離された抗体を限られた数のさらなる十分に規定された（単離された）抗体を含む組合わせ製剤で提供することを排除しない。単離された抗体を固体、半液体または液体キャリヤー、たとえばビーズ上において提供することもできる。
【誤訳訂正３】
【訂正対象書類名】明細書
【訂正対象項目名】０１９６
【訂正方法】変更
【訂正の内容】
【０１９６】
一般に、クレブシエラ・ニューモニエにより引き起こされる菌血症を既知の一般的な抗細菌療法、たとえば抗生物質、ステロイドおよび非ステロイド系の炎症阻害薬による治療で処置するのに成功する可能性がある。本発明は、クレブシエラ・ニューモニエを特異的に認識する抗体を場合により抗細菌または抗炎症療法と組み合わせて用いる新規免疫療法を提供する。クレブシエラ・ニューモニエ感染症を伴う患者を処置するために用いる代表的な抗生物質は、アミノグリコシド類、セファロスポリン類、アミノペニシリン類、カルバペネム類、フルオロキノロン類、チゲサイクリン、コリスチンなどである。
【誤訳訂正４】
【訂正対象書類名】明細書
【訂正対象項目名】０１９７
【訂正方法】変更
【訂正の内容】
【０１９７】
多剤耐性（ＭＤＲ）クレブシエラ・ニューモニエは、特に３クラス以上の抗生物質、たとえば下記の薬剤／グループに対して耐性を示す株であると解釈される：ペニシリン類、セファロスポリン類、カルバペネム類、アミノグリコシド類、テトラサイクリン類、フルオロキノロン類、ニトロフラントイン、トリメトプリム（およびそれの組合わせ）、ホスホマイシン(fosfomycin)、ポリミキシン類、クロラムフェニコール、アズトレオナム(azthreonam)、またはチゲサイクリン。
【誤訳訂正５】
【訂正対象書類名】明細書
【訂正対象項目名】０２１７
【訂正方法】変更
【訂正の内容】
【０２１７】
組換えモノクローナル抗体は、たとえば必要な抗体鎖をコードするＤＮＡを単離し、周知の組換え発現ベクター、たとえば抗体配列をコードするヌクレオチド配列を含む本発明のプラスミドまたは発現カセット（単数または複数）を用いて、発現のために組換え宿主細胞にそのコード配列をトランスフェクトすることにより製造できる。組換え宿主細胞は原核細胞または真核細胞、たとえば前記に述べたものであってもよい。
【誤訳訂正６】
【訂正対象書類名】明細書
【訂正対象項目名】０２２２
【訂正方法】変更
【訂正の内容】
【０２２２】
本開示はさらに、本明細書に記載するヌクレオチド配列のうち１以上を含む組換えＤＮＡ構築体を提供する。これらの組換え構築体は、開示したいずれかの抗体をコードするＤＮＡ分子が挿入されたベクター、たとえばプラスミド、ファージミド(phagemid)、ファージまたはウイルスベクターとの組合わせで用いられる。
【誤訳訂正７】
【訂正対象書類名】明細書
【訂正対象項目名】０２３１
【訂正方法】変更
【訂正の内容】
【０２３１】
医薬的に許容できるキャリヤーには、一般に、本発明により提供される抗体または関連の組成物もしくは組合わせと生理的に適合するすべての適切な溶媒、分散媒、コーティング剤、抗細菌剤および抗真菌剤、等張化剤および吸収遅延剤などが含まれる。医薬的に許容できるキャリヤーのさらなる例には、無菌水、生理食塩水、リン酸緩衝化生理食塩水、デキストロース、グリセロール、エタノールなど、およびそのいずれかの組合わせが含まれる。
【誤訳訂正８】
【訂正対象書類名】明細書
【訂正対象項目名】０２３９
【訂正方法】変更
【訂正の内容】
【０２３９】
併用療法は特に標準的な計画を用いるもの、たとえばクレブシエラ・ニューモニエ、具体的にはＭＤＲクローンＳＴ２５８による感染を処置するために用いるものである。これには、抗生物質、たとえばチゲサイクリン、コリスチン、ポリミキシンＢ、およびベータラクタム類を非ベータラクタム系阻害薬と組み合わせたものを含めることができる。
【誤訳訂正９】
【訂正対象書類名】明細書
【訂正対象項目名】０２４０
【訂正方法】変更
【訂正の内容】
【０２４０】
併用療法において、抗体を混合物として、または１種類以上の他の療法計画と併せて、たとえば併用する療法の前、同時または後に投与することができる。
本発明の抗体またはそれぞれの医薬製剤の生物学的性質を、エクスビボで細胞、組織および生物全身実験において解明することができる。当技術分野で知られているように、疾患もしくは疾患モデルに対する処置についての薬物の有効性を測定するために、または薬物の薬物動態、薬力学、毒性および他の特性を測定するために、薬物をしばしばインビボで、マウス、ラット、ウサギ、イヌ、ネコ、ブタ、およびサルを含めた動物において試験する。それらの動物を疾患モデルと呼ぶことができる。療法薬はしばしばマウスにおいて試験され、それにはヌードマウス、ＳＣＩＤマウス、異種移植マウス、およびトランスジェニックマウス（ノックインおよびノックアウトを含む）が含まれるが、これらに限定されない。そのような実験により、適宜な半減期、エフェクター機能、（交差−）中和活性、および／または能動もしくは受動免疫療法に際しての免疫応答性を備えた治療薬または予防薬として用いる抗体の力価を決定するための有意義なデータを得ることができる。いずれかの生物、好ましくは哺乳類を試験に使用できる。たとえば、霊長類であるサルはヒトに対するそれらの遺伝学的類似性のため適切な療法モデルとなることができ、よって被験薬または組成物の有効性、毒性、薬物動態、薬力学、半減期、または他の特性を試験するために使用できる。薬物として承認されるためにはヒトにおける試験が最終的には要求されるので、もちろんこれらの実験も考慮する。よって、本発明の抗体およびそれぞれの療法用組成物をヒトにおいて試験して、それらの治療または予防効果、毒性、免疫原性、薬物動態、および／または臨床特性を判定することができる。
【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
血管を閉塞させるのに適した塞栓微粒子であって、前記塞栓微粒子が、
複数の塞栓ビーズを含み、前記塞栓ビーズのそれぞれが、
複数の外側に突出した部分を含み、前記塞栓ビーズの第一のものおよび第二のものが前記血管の境界に接して蓄積されると、前記第一の塞栓ビーズの前記突出部分が前記第二の塞栓ビーズの前記突出部分と噛合して、前記血管を閉塞させるように構成されている、塞栓微粒子。
【請求項２】
前記塞栓ビーズが、塞栓手順の間の液流によって発生する、または前記液流を起源とする力に抵抗するように、または／そして前記力を放散させるように構成されている、請求項１に記載の塞栓微粒子。
【請求項３】
前記外側に突出した部分の少なくとも１つが、流体力学的に周辺の層流または／および滑らかな流れを容易にし、そして方向性のある新たな液流の影響を低減するような形状になっている、請求項１に記載の塞栓微粒子。
【請求項４】
前記塞栓ビーズが、３つの外側に突出した部分を少なくとも有するか、または前記塞栓ビーズが、テトラポッド様の形状を有する、請求項１〜請求項３のいずれか１項に記載の塞栓微粒子。
【請求項５】
第一のビーズ端部と第二のビーズ端部の間を延在する細長い本体を有し、前記突出した部分が前記第一のビーズ端部および第二のビーズ端部の少なくとも一方から延在する、請求項１〜請求項３のいずれか１項に記載の塞栓微粒子。
【請求項６】
４つの突出部分を有し、それぞれ２つの突出部分が第一のビーズ端部および第二のビーズ端部から延在する、請求項５に記載の塞栓微粒子。
【請求項７】
前記外側に突出した部分の少なくとも１つが、四面体または四面体様の形状を有する、請求項１〜請求項６のいずれか１項に記載の塞栓微粒子。
【請求項８】
約０．８〜約１，６ｇ／ｃｍ３の範囲内の密度を有する、請求項１〜請求項７のいずれか１項に記載の塞栓微粒子。
【請求項９】
前記外側に突出した部分の少なくとも１つが、少なくとも１つの凹所を含み、好ましくは、前記少なくとも１つの凹所が、治療薬で充填されている、請求項１〜請求項８のいずれか１項に記載の塞栓微粒子。
【請求項１０】
前記外側に突出した部分の少なくとも１つが、前記外側に突出した部分を貫通する少なくとも１つの穴を含み、好ましくは、前記少なくとも１つの穴が、治療薬で充填されている、請求項１〜請求項９のいずれか１項に記載の塞栓微粒子。
【請求項１１】
前記塞栓ビーズが、ガラス、金属、ポリマー、またはそれらの組み合わせから調製されている、請求項１〜請求項１０のいずれか１項に記載の塞栓微粒子。
【請求項１２】
前記塞栓ビーズが、約５ミクロン〜約１，０００ミクロンの範囲内の最大直径を有し、前記直径が、１つの前記塞栓ビーズの２つの向かい合う突出部分の外表面の間で測定されている、請求項１〜請求項１０のいずれか１項に記載の塞栓微粒子。
【請求項１３】
５ミクロンおよび５００ミクロンの範囲内の最大直径を有し、好ましくは、前記直径が約５ミクロン〜約１００ミクロンの範囲内である、請求項１〜請求項１２のいずれか１項に記載の塞栓微粒子。
【請求項１４】
請求項１〜請求項１３のいずれか１項に記載の塞栓微粒子と、医薬的に許容し得る賦形剤または担体と、を含む組成物。
【請求項１５】
造影剤または治療薬をさらに含み、好ましくは、前記造影剤が、タンタル、酸化タンタル、および硫酸バリウムからなる群から選択され、好ましくは、前記治療薬が、化学療法薬である、請求項１４に記載の組成物。
【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
磁気共鳴画像生成システムと、
放射線源と、
命令を記憶する非一時的な機械可読の記憶媒体と
を備えるシステムであって、
少なくとも１つのプログラム可能なプロセッサが前記命令を実行すると、当該プロセッサは、
前記放射線源による放射線の照射中に前記磁気共鳴画像生成システムによって生成されたＭＲＩ画像を受信する処理と、
前記放射線に曝された１つ又は複数の解剖学的構造に対して、照射量の計算に係るフラグを立てる処理と、
前記フラグを立てた解剖学的構造に照射された照射量を計算する処理と
を含む動作を実行する、システム。
【請求項２】
前記動作はさらに、
前記放射線に曝されなかった１つ又は複数の解剖学的構造を決定する処理と、
前記放射線に曝されなかった１つ又は複数の解剖学的構造について照射量の計算を回避する処理と
を含む、請求項１に記載のシステム。
【請求項３】
前記放射線に曝されなかった１つ又は複数の解剖学的構造を決定する処理は、前記ＭＲＩ画像と放射線ビームの形状又はフルエンスとの相関を計算する処理を含む、請求項２に記載のシステム。
【請求項４】
磁気共鳴画像生成システムと、
放射線源と、
命令を記憶する非一時的な機械可読の記憶媒体と
を備えるシステムであって、
少なくとも１つのプログラム可能なプロセッサが前記命令を実行すると、当該プロセッサは、
前記放射線源による放射線の照射中に前記磁気共鳴画像生成システムによって生成されたＭＲＩ画像を受信する処理と、
前記ＭＲＩ画像中の１つ又は複数の解剖学的構造における患者の動きの量を決定する処理と、
しきい値を超えて移動した前記ＭＲＩ画像中の１つ又は複数の解剖学的構造に対して、照射量の計算に係るフラグを立てる処理と、
前記フラグを立てた解剖学的構造に照射された照射量を計算する処理と
を含む動作を実行する、システム。
【請求項５】
前記動作はさらに、
前記しきい値を超えて移動しなかった１つ又は複数の解剖学的構造を決定する処理と、
前記しきい値を超えて移動しなかった１つ又は複数の解剖学的構造について照射量の計算を回避する処理と
を含む、請求項４に記載のシステム。
【請求項６】
磁気共鳴画像生成システムと、
放射線源と、
命令を記憶する非一時的な機械可読の記憶媒体と
を備えるシステムであって、
少なくとも１つのプログラム可能なプロセッサが前記命令を実行すると、当該プロセッサは、
前記放射線源による放射線の照射中に前記磁気共鳴画像生成システムによって生成されたＭＲＩ画像を受信する処理と、
照射量の計算のために１つ又は複数の解剖学的構造を識別する処理と、
前記放射線源からの制御データと前記ＭＲＩ画像とを組み込んだ、時間依存するモンテカルロ法シミュレーションを少なくとも実行することによって、前記識別された１つ又は複数の解剖学的構造に照射された照射量を計算する処理と
を含む動作を実行する、システム。
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
ＴＧＦβ１に結合する単離された結合タンパク質であって、該結合タンパク質は、Ｎ末端からＣ末端へ、式：
（ＶＨドメイン）−（リンカー１）n−（ＶＬドメイン）−（リンカー２）m−（ヒンジ）p−（Ｆｃ領域）
（式中、ｐ、ｎ、およびｍの各々は、独立して０または１である）を有するポリペプチド鎖を含む、
前記単離された結合タンパク質。
【請求項２】
ＶＨドメインは、配列番号２２のアミノ酸配列を有する重鎖相補性決定領域１（ＨＣＤＲ１）；配列番号２３のアミノ酸配列を有するＨＣＤＲ２；および配列番号２４、２５、２６または３０のアミノ酸配列を有するＨＣＤＲ３を含み；
ＶＬドメインは、それぞれ、配列番号２７、２８、および２９を有する、軽鎖相補性決定領域１（ＬＣＤＲ１）、ＬＣＤＲ２、およびＬＣＤＲ３を含む；
請求項１に記載の単離された結合タンパク質。
【請求項３】
単離された結合タンパク質は、２つのポリペプチド鎖を含む二量体である、請求項１または２に記載の単離された結合タンパク質。
【請求項４】
２つのポリペプチド鎖は同一である、請求項３に記載の単離された結合タンパク質。
【請求項５】
ＶＨドメインは、配列番号１もしくは２に示されるヒトＶＨドメイン配列、または４個までのアミノ酸の修飾を有するそのバリアントを含み；
ＶＬドメインは、配列番号５もしくは６に示されるヒトＶκドメイン配列、または４個までのアミノ酸の修飾を有するそのバリアントを含む；
請求項４に記載の単離された結合タンパク質。
【請求項６】
ＶＨドメインおよびＶＬドメインは、それぞれ、配列番号１および５に示されるアミノ酸配列を含む、請求項５に記載の単離された結合タンパク質。
【請求項７】
ポリペプチド鎖は、配列番号９に示されるアミノ酸配列を含む、請求項６に記載の単離された結合タンパク質。
【請求項８】
単離された結合タンパク質は、以下の特徴：
ａ）選択的にＴＧＦβ１に結合する；
ｂ）Ａ５４９バイオアッセイにおけるヒトＴＧＦβ１に対するＩＣ５０が１ｎＭ未満である；
ｃ）表面プラズモン共鳴により測定されるヒトＴＧＦβ２に対するＫｄよりも少なくとも約５０％低いＫｄをヒトＴＧＦβ１に対して示す；および
ｄ）表面プラズモン共鳴により測定されるヒトＴＧＦβ３に対するＫｄよりも少なくとも約５０％低いＫｄをヒトＴＧＦβ１に対して示す；
の少なくとも１つを有する、
請求項１〜７のいずれか１項に記載の単離された結合タンパク質。
【請求項９】
ｎ＝１であり、
リンカー１は：
１５アミノ酸長である；または
アミノ酸配列ＳＧＧＧＳＧＧＧＧＳＧＧＧＧＳ（配列番号３）、アミノ酸配列ＧＧＧＧＳＧＧＧＧＳＧＧＧＧＳ（配列番号４）、または４個までのアミノ酸の修飾を有するそのバリアントを含む、
請求項１〜８のいずれか１項に記載の単離された結合タンパク質。
【請求項１０】
ｐは１であり、
ヒンジは：
ａ）ヒトＩｇＧ１またはＩｇＧ４ヒンジ領域由来のアミノ酸配列；
ｂ）アミノ酸配列ＰＫＳＣＤＫＴＨＴＣＰＰＣＰＡＰＥＬＬＧＧＰ（配列番号７）または４個までのアミノ酸の修飾を有するそのバリアント；または
ｃ）アミノ酸配列ＣＰＰＣＰ（配列番号２１）；
を含む、
請求項１〜９のいずれか１項に記載の単離された結合タンパク質。
【請求項１１】
ｍは１であり、
リンカー２は、アミノ酸配列ＧＧＳＧ（配列番号２０）または２個までのアミノ酸の修飾を有するそのバリアントを含む、
請求項１〜１０のいずれか１項に記載の単離された結合タンパク質。
【請求項１２】
Ｆｃ領域は、ヒトＩｇＧ１、ヒトＩｇＧ４、または１０個までのアミノ酸が修飾されているヒトＩｇＧ１もしくはＩｇＧ４のバリアントから誘導される、請求項１〜１１のいずれか１項に記載の単離された結合タンパク質。
【請求項１３】
ＴＧＦβ１に結合する単離された結合タンパク質であって、該結合タンパク質は、第１のポリペプチド鎖および第２のポリペプチド鎖を含み、該第１および第２のポリペプチド鎖はそれぞれ、式：
（ＶＤ1）−（リンカー１）n−（ＶＤ2）−（リンカー２）m−（ヒンジ）p−（Ｆｃ領域）、
（式中、各ポリペプチド鎖中のＶＤ1およびＶＤ2は、独立して、ＴＧＦβ１に結合することができる抗体から単離されたＶＬドメインまたはＶＨドメインであり；および
ｎ、ｍ、およびｐの各々は、独立しては０または１である）
を有する、
前記単離された結合タンパク質。
【請求項１４】
請求項１〜１３のいずれか1項に記載の単離された結合タンパク質および薬学的に許容される賦形剤を含む、医薬組成物。
【請求項１５】
請求項１〜１３のいずれか１項に記載の単離された結合タンパク質をコードするヌクレオチド配列を含む、単離されたポリヌクレオチド。
【請求項１６】
請求項１５に記載のポリヌクレオチドを含むベクター。
【請求項１７】
請求項１５に記載のポリヌクレオチドを含む宿主細胞。
【請求項１８】
単離された結合タンパク質を作成する方法であって、
請求項１７に記載の宿主細胞を適切な条件下で培養して、結合タンパク質を生産する工程、および
結合タンパク質を単離する工程
を含む、前記方法。
【請求項１９】
ＴＧＦβ１活性を阻害する必要のあるヒトにおける疾患を処置するための医薬品を製造するための、請求項１〜１３のいずれか１項に記載の単離されたタンパク質の使用。
【請求項２０】
疾患は、線維性疾患、がん、および免疫媒介性疾患からなる群から選択される、請求項１９に記載の使用。
【請求項２１】
疾患は、びまん性全身性皮膚硬化症、骨リモデリング疾患、または腎臓疾患である、請求項１９に記載の使用。
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
飲料濃縮物を製造する方法であって、
植物材料及び／または植物抽出物を熱水と接触させて飲料を製造するステップであって、前記熱水中の前記植物材料及び／または植物抽出物の濃度が、１リットル当たり少なくとも１００グラムであるステップと、
前記飲料を濾過して、濾液を製造するステップと、
前記飲料または前記飲料濾液を安定剤と接触させて、固体を浮遊状態に保持するステップと、
前記飲料または前記飲料濾液から、微生物学的に安定した飲料濃縮物を製造するステップと、を含み、
前記飲料または前記飲料濾液から、微生物学的に安定した飲料濃縮物を製造するステップは、前記飲料または前記飲料濾液を１つ以上の保存剤に接触させることを含み、前記１つ以上の保存剤はアスコルビン酸を含み、前記飲料または前記飲料濾液に添加される前記アスコルビン酸の量は、飲料濾液１リットル当たり０．５〜５０グラムの前記アスコルビン酸を含み、前記飲料または前記飲料濾液のｐＨを４．５未満のｐＨまで低下させる、方法。
【請求項２】
前記熱水中の前記植物材料及び／または植物抽出物の前記濃度が、１リットル当たり少なくとも１５０グラム、２００グラム、または２５０グラムである、請求項１に記載の方法。
【請求項３】
前記飲料濃縮物が、
茶濃縮物、及び好ましくは熱い茶濃縮物であって、好ましくは前記植物材料及び／または植物抽出物が、カメリアシネンシス（Ｃａｍｅｌｌｉａ  ｓｉｎｅｎｓｉｓ）の葉及び／または葉芽を含むか、
コーヒー濃縮物、及び好ましくは熱いコーヒー濃縮物であって、好ましくはアラビカコーヒーノキ（Ｃｏｆｆｅａ  Ａｒａｂｉｃａ）またはロブスタコーヒーノキ（Ｃｏｆｆｅａ  ｃａｎｅｐｈｏｒａ）の種子または豆を含むか、または、
果実及び／またはハーブ浸出液濃縮物であって、好ましくは前記植物材料及び／または植物抽出物が、果実及び／またはハーブを含む、請求項１または請求項２に記載の方法。
【請求項４】
前記植物材料及び／または植物抽出物に接触される前記熱水が、少なくとも５０℃、６０℃、７０℃、または８０℃であり、及び／または、前記飲料が少なくとも６０℃、７０℃、８０℃、または９０℃である間に、前記飲料が、濾過され、及び／または、前記飲料を濾過する前記ステップは、前記飲料を濾すこと及び前記飲料を粗濾過することを含む、請求項１〜３のいずれか１項に記載の方法。
【請求項５】
前記安定剤は、カッパカラギーナン、イオタカラギーナン、ラムバカラギーナン、ローカストビーンガム、オートガム、グアーガム、トラガント、アカシアガム、キサンタンガム、カラヤガム、タラガム、ジェランガム、及びガディガムからなる群から選択され、及び／または、前記飲料または前記飲料濾液に添加される前記安定剤の量は、飲料濾液１リットル当たり０．１〜１０グラムの安定剤を含む、請求項１〜４のいずれか１項に記載の方法。
【請求項６】
前記飲料または前記飲料濾液から微生物学的に安定した飲料濃縮物を生成するステップは、前記飲料または前記飲料濾液をエアゾール容器に充填することと、ヘッドスペース中の酸素を、好ましくは窒素または窒素酸化物である不活性ガスと置換することと、前記エアゾール容器を封止することと、をさらに含み、好ましくは、前記エアゾール容器を充填する前記ステップの前に、前記飲料もしくは前記飲料濾液を低温殺菌すること、または前記飲料もしくは前記飲料濾液を前記エアゾール容器に熱間充填し、より好ましくは、前記飲料または前記飲料濾液を前記エアゾール容器へ移す直前に、前記飲料または前記飲料濾液の温度が、少なくとも７２℃、７５℃、または少なくとも８０℃となるように、前記飲料または前記飲料濾液の前記温度を上げることを含む、請求項１〜５のいずれか１項に記載の方法。
【請求項７】
前記ヘッドスペース中の酸素を不活性ガスと置換する前記ステップは、前記ヘッドスペースに真空を適用することと、その後前記ヘッドスペースに前記不活性ガスを注入することとを含み、好ましくは、前記不活性ガスは、少なくとも３バール、少なくとも４バール、または少なくとも５バールの圧力で注入される、請求項６に記載の方法。
【請求項８】
前記１つ以上の保存剤は砂糖を含まない、請求項１〜７のいずれか１項に記載の方法。
【請求項９】
前記１つ以上の保存剤は抗微生物剤をさらに含み、前記抗微生物剤は抗真菌剤及び抗細菌剤を含み、好ましくは、前記抗真菌剤はソルビン酸塩を含み、前記ソルビン酸塩はソルビン酸、ソルビン酸ナトリウム、ソルビン酸カリウム、及びソルビン酸カルシウムからなる群から選択され、前記抗細菌剤はベンゾエートを含み、前記ベンゾエートは安息香酸、安息香酸ナトリウム、安息香酸カリウム、安息香酸カルシウム、エチルパラベン、パラヒドロキシ安息香酸エチルナトリウム、プロピルパラベン、パラヒドロキシ安息香酸プロピルナトリウム、メチルパラベン、またはパラオキシ安息香酸メチルナトリウムからなる群から選択され、及び／または、前記飲料または前記飲料濾液に添加される前記抗微生物剤の量は、飲料濾液１リットル当たり１００〜３０００ミリグラムの抗微生物剤を含む、請求項１〜８のいずれか１項に記載の方法。
【請求項１０】
飲料を製造する方法であって、前記方法は請求項１〜９のいずれか１項に記載の、前記飲料濃縮物を製造するステップを有し、その後、消費前に前記飲料濃縮物を熱水で希釈して、飲料を製造し、前記飲料中の水対飲料濃縮物の比率は、少なくとも２０：１であり、好ましくは、前記飲料濃縮物の前記ｐＨが、水で希釈するステップでｐＨ４．５超まで上昇される、方法。
【請求項１１】
請求項１〜９のいずれか１項に記載の方法によって、得られるか、または得ることが可能な飲料濃縮物。
【請求項１２】
飲料を製造するための自動販売機において、請求項１１に記載の飲料濃縮物を使用する方法。
【請求項１３】
自動販売機から飲料を分配する方法であって、自動販売機内で、請求項１１に記載の飲料濃縮物を熱水で希釈すること、および前記飲料を分配することを含む、方法。
【請求項１４】
請求項１１に記載の飲料濃縮物を容器に充填しているか、または充填するように適合されたリザーバと、前記飲料濃縮物を熱水と接触させて、それにより飲料を生成するための手段とを有するインスタント飲料自動販売機。
【請求項１５】
請求項１１に記載の飲料濃縮物があらかじめ充填され、好ましくは請求項１４の前記自動販売機で使用するためのリザーバ。
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
ａ）以下の配列：
【化３８】
2018508215.tif 000001
を含む相補性決定領域（ＣＤＲ）を有する重鎖可変領域（ＶＨ）、および
ｂ）以下の配列：
【化３９】
2018508215.tif 000002
を含むＣＤＲを有する軽鎖可変領域（ＶＬ）
を含むＣＤ１９結合ドメインを含むキメラ抗原受容体（ＣＡＲ）。
【請求項２】
前記ＣＤ１９結合ドメインが、配列番号７として示される配列を有するＶＨドメインおよび／もしくは配列番号８として示される配列を有するＶＬドメインまたは少なくとも９５％の配列同一性を有するそのバリアントを含む、請求項１に記載のＣＡＲ。
【請求項３】
前記ＣＤ１９結合ドメインが、ｓｃＦｖをＶＨ−ＶＬ方向で含み、好ましくは、前記ＣＤ１９結合ドメインが、配列番号９として示される配列または少なくとも９０％の配列同一性を有するそのバリアントを含む、請求項１に記載のＣＡＲ。
【請求項４】
ＣＤ１９結合ドメインおよび膜貫通ドメインが、スペーサーによって連結されており、任意選択で、前記スペーサーが、以下：ヒトＩｇＧ１  Ｆｃドメイン、ＩｇＧ１ヒンジまたはＣＤ８ストークの１つを含む、請求項１〜３のいずれかに記載のＣＡＲ。
【請求項５】
細胞内Ｔ細胞シグナル伝達ドメインも含み、任意選択で、前記細胞内Ｔ細胞シグナル伝達ドメインが、以下のエンドドメイン：ＣＤ２８エンドドメイン、４１ＢＢエンドドメイン、ＯＸ４０エンドドメインおよびＣＤ３ゼータエンドドメインの１つまたは複数を含み、好ましくは、前記細胞内Ｔ細胞シグナル伝達ドメインが、
（ｉ）前記４１ＢＢエンドドメインおよび前記ＣＤ３ゼータエンドドメイン；
（ｉｉ）前記ＯＸ４０エンドドメインおよび前記ＣＤ３ゼータエンドドメイン；または
（ｉｉｉ）以下のエンドドメイン：ＣＤ２８エンドドメイン、ＯＸ４０およびＣＤ３ゼータエンドドメインのすべて
を含む、請求項１〜４のいずれかに記載のＣＡＲ。
【請求項６】
配列番号１０から１５のいずれかとして示される配列を含むか、または少なくとも８０％の配列同一性を有するが、ｉ）ＣＤ１９を結合し、ｉｉ）Ｔ細胞シグナル伝達を誘導する能力を保持するそのバリアントを含む、請求項１〜５のいずれかに記載のＣＡＲ。
【請求項７】
Ｔ細胞によって発現され、ＣＤ１９発現細胞を標的とするために使用される場合、
ａ）以下の配列：
【化４０】
2018508215.tif 000003
を含む相補性決定領域（ＣＤＲ）を有する重鎖可変領域（ＶＨ）、および
ｂ）以下の配列：
【化４１】
2018508215.tif 000004
【化４２】
2018508215.tif 000005
を含むＣＤＲを有する軽鎖可変領域（ＶＬ）
を含むＣＤ１９結合ドメインを含むＣＡＲを発現しているＴ細胞によって生じるＩＦＮγ放出よりも低い、ＣＤ１９発現標的細胞によるＩＦＮγ放出をもたらす、請求項１〜６のいずれかに記載のＣＡＲ。
【請求項８】
前記ＣＤＲがヒトまたはヒト化フレームワークにグラフトされている、請求項１〜７のいずれかに記載のＣＡＲ。
【請求項９】
請求項１〜８のいずれかに記載のＣＡＲをコードする核酸配列。
【請求項１０】
請求項９に記載の核酸配列を含むベクター。
【請求項１１】
請求項１から請求項８のいずれかに記載のＣＡＲを含む細胞であって、好ましくは、前記細胞がＴ細胞またはナチュラルキラー（ＮＫ）細胞である、細胞。
【請求項１２】
請求項１１に記載の複数の細胞を含む細胞組成物。
【請求項１３】
（ｉ）請求項１０に記載のベクターで細胞を形質導入するか、または請求項１０に記載のベクターを細胞にトランスフェクトするステップを含む、請求項１１に記載の細胞を作製するための方法または（ｉｉ）請求項１０に記載のベクターで被験体由来の細胞の試料をｅｘ  ｖｉｖｏで形質導入するか、または請求項１０に記載のベクターを被験体由来の細胞の試料にトランスフェクトするステップを含む、請求項１２に記載の細胞組成物を作製するための方法。
【請求項１４】
請求項１１に記載の細胞または請求項１２に記載の細胞組成物を、薬学的に許容されるキャリア、希釈剤または賦形剤と共に含む医薬組成物。
【請求項１５】
がんの処置において使用するための、請求項１１に記載の細胞、請求項１２に記載の細胞組成物または請求項１４に記載の医薬組成物であって、好ましくは、前記がんが、Ｂ細胞悪性腫瘍である、細胞、細胞組成物または医薬組成物。
【手続補正書】
【提出日】平成30年12月12日(2018.12.12)
【手続補正１】
【補正対象書類名】特許請求の範囲
【補正対象項目名】全文
【補正方法】変更
【補正の内容】
【特許請求の範囲】
【請求項１】
回転チャックであって、
チャック前端部と、
前記チャック前端部に向かって開口し、前記チャック前端部から後方に延びる軸受け孔と、を含み、
前記軸受け孔は、
周方向に延びる孔表面によって規定され、
前記軸受け孔の中心を通って延びる孔軸を有し、
前後方向を規定し、
前記チャックの前記チャック前端部に近接する孔前端部及び前記孔前端部の後方の孔後端部を含み、
前記孔表面は、
孔直径を規定する１以上の軸当接サブ表面と、
前記軸受け孔において、前記中心孔軸から前記１以上の軸当接サブ表面よりも遠くに窪む溝の配置と、を含み、
前記溝の配置は、前記孔前端部及び前記孔後端部と流体連結する流路を規定し、
前記孔後端部における環状の入口溝と、
前記チャック前端部に向かって開口するとともに、前記チャック前端部に向かって内側に傾斜する１以上の傾斜した溝部と、
前記環状の入口溝と前記１以上の傾斜した溝部とを接続する１以上の中間の溝であって、前記１以上の中間の溝は、前記孔表面内に内側に向かってのみ開口するか、又は、前記孔表面及び前記回転チャックの外表面の両方に向かって開口し、前記１以上の中間の溝は、前記中心孔軸に平行に延びる１以上の長手方向の溝部を含む、１以上の中間の溝と、を含み、
前記軸受け孔は、前記溝の配置を含み、単一の一体的な構造を有する前記回転チャックの一部に形成される、回転チャック。
【請求項２】
前記１以上の傾斜した溝部は、それぞれが前方向に対して傾斜角度αで傾斜し、前記傾斜角度αは２度≦α≦２０度の範囲内である、請求項１に記載の回転チャック。
【請求項３】
前記傾斜角度αは４度≦α≦１２度の範囲内である、請求項２に記載の回転チャック。
【請求項４】
前記１以上の傾斜した溝部は、複数の傾斜した溝部であり、前記傾斜した溝部のそれぞれの前記傾斜角度αは同じである、請求項１〜３のいずれか１項に記載の回転チャック。
【請求項５】
前記溝の配置は、前記長手方向の溝部よりもより傾斜した溝部を含む、請求項１に記載の回転チャック。
【請求項６】
前記孔軸に垂直に、長手方向の溝部のそれぞれは、一定の断面積を有する、請求項１〜５のいずれか１項に記載の回転チャック。
【請求項７】
前記１以上の中間の溝は、前記孔前端部に、前記傾斜した溝部と流体連結する環状の出口溝をさらに含む、請求項１〜６のいずれか１項に記載の回転チャック。
【請求項８】
前記１以上の中間の溝は、１以上の長手方向の溝部をさらに含み、前記環状の出口溝もまた、前記１以上の長手方向の溝部と流体連結している、請求項７に記載の回転チャック。
【請求項９】
前記溝の配置は、前記長手方向の溝部よりもより傾斜した溝部を含む、請求項８に記載の回転チャック。
【請求項１０】
前記孔軸に垂直に、傾斜した溝部のそれぞれは、前記チャック前端部に近接するに従って減少する断面積を有する、請求項１〜９のいずれか１項に記載の回転チャック。
【請求項１１】
前記チャック前端部の端面図において、少なくとも１つの傾斜した溝部は、三日月形状を有する、請求項１〜１０のいずれか１項に記載の回転チャック。
【請求項１２】
前記チャック前端部において、少なくとも１つの傾斜した溝部は、最大半径寸法の中央断面領域を有するとともに、前記中央断面領域から離間するに従って断面積が減少する、前記中央断面領域に隣接する少なくとも１つの先端断面領域を有する、請求項１〜１１のいずれか１項に記載の回転チャック。
【請求項１３】
前記チャック前端部の端面図において、前記傾斜した溝部の少なくとも１つの最大半径寸法ＤＭＲは、次の条件を満たす範囲内である：０．１ｍｍ≦ＤＭＲ≦０．９ｍｍ、請求項１〜１２のいずれか１項に記載の回転チャック。
【請求項１４】
前記傾斜した溝部の少なくとも１つの最大半径寸法ＤＭＲは、次の条件を満たす範囲内である：０．１ｍｍ≦ＤＭＲ≦０．５ｍｍ、請求項１３に記載の回転チャック。
【請求項１５】
前記チャック前端部の端面図において、前記１以上の傾斜した溝部におけるそれぞれの傾斜した溝部の最大半径寸法ＤＭＲは、次の条件を満たす範囲内である：０．１ｍｍ≦ＤＭＲ≦０．９ｍｍ、請求項１〜１４のいずれか１項に記載の回転チャック。
【請求項１６】
前記１以上の傾斜した溝部のそれぞれの傾斜した溝部の最大半径寸法ＤＭＲは、次の条件を満たす範囲内である：０．１ｍｍ≦ＤＭＲ≦０．５ｍｍ、請求項１５に記載の回転チャック。
【請求項１７】
前記チャック前端部において、それぞれの傾斜した溝部は、仮想円と、前記傾斜した溝部及び前記軸当接サブ表面の仮想連続弧の間に規定される出口領域と、を規定する曲率半径を有し、
前記出口領域は、前記仮想円における円の面積の２０％未満である、請求項１〜１６のいずれか１項に記載の回転チャック。
【請求項１８】
前記出口領域は、前記円の面積の１０％未満である、請求項１７に記載の回転チャック。
【請求項１９】
前記チャック前端部に向かって開口するとともに、これらに向かって内側に傾斜する傾斜した溝部の１つと、前記前端部と、の間に形成されるか、又は、前記傾斜した溝部と離れて形成される、１以上の外側に傾斜した溝部を含む、請求項１〜１８のいずれか１項に記載の回転チャック。
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
患者の体内の二つの空間を接続するためのシステムであって、前記システムは、
ａ）第１の空間内に位置される第１の発信デバイスであって、非対称電界を発生するための少なくとも一つの信号電極を有する第１の発信デバイス、
ｂ）前記第１の空間に隣接して第２の空間内に位置される第２のデバイスであって、前記非対称電界を検出するための少なくとも一つの検出器を有する第２のデバイス、および
ｃ）前記二つの空間を接続するための接続装置、を備え、
前記接続は、前記第２のデバイスによって検出される前記第１のデバイスによって発生した前記非対称電界に基づいて前記第１のデバイスを前記第２のデバイスと位置合わせし、かつ、前記位置合わせによって指示された方向に沿って前記接続装置を配置する、ことによって方向付けられるシステム。
【請求項２】
前記少なくとも一つの信号電極は前記接続装置に位置する請求項１に記載のシステム。
【請求項３】
前記第１のデバイスまたは前記第２のデバイスは前記接続装置を備える請求項２に記載のシステム。
【請求項４】
前記第１のデバイスおよび／または前記第２のデバイスはカテーテルを備える請求項１〜３のいずれか１項に記載のシステム。
【請求項５】
前記第１のデバイスと前記第２のデバイスと通信状態にあり、前記発信デバイスにおける前記非対称電界を発生できおよびターゲットデバイスにおいて検出される信号を受信でき、かつ、可視ディスプレイまたは音声ディスプレイを提供してユーザに対して位置合わせを知らせる電子位置合わせモニタユニット、を備える請求項１〜４のいずれか１項に記載のシステム。
【請求項６】
前記電子位置合わせモニタユニットは、回転コネクタ（コミュテータ）を介して前記第１のデバイスに繋がるハンドル内に備えられる請求項５に記載のシステム。
【請求項７】
前記接続は動脈−静脈瘻孔として働き、透析のためのバスキュラーアクセスを提供する請求項１〜６のいずれか１項に記載のシステム。
【請求項８】
前記接続は、橈骨橈側皮瘻孔、上腕橈側皮瘻孔、上腕尺側皮瘻孔、または、尺側皮尺側皮瘻孔、を作成する請求項１〜７のいずれか１項に記載のシステム。
【請求項９】
請求項１〜８のいずれか１項に記載のシステムにおいて第１の発信デバイスとして使用される経皮外科カテーテルデバイスであって、
（ａ）遠位端と近位端を有する細長い本体であって、中空シースを有し、前記中空シースが前記本体の少なくとも実質的部分に沿って延在する管腔を画定する本体と、
（ｂ）前記細長い本体の前記遠位端内に位置する信号トランスデューサであって、非対称電界を発生するために配置される信号トランスデューサと、
（ｃ）前記管腔内に滑動可能に収納され、かつ、前記細長い本体の前記遠位端から外に延出することが可能である、貫通部材と、を備え、
前記貫通部材の延出の方向が前記非対称電界と位置合わせされるデバイス。
【請求項１０】
前記細長い本体は、前記遠位端の、または、前記遠位端の近くの、側壁に孔を備え、それによって、前記細長い本体の長手方向軸に対して実質的に半径方向である方向への前記貫通部材の延出を可能とし、好ましくは、前記信号トランスデューサは、前記孔の位置に対して前記細長い本体上の遠位に配置される請求項９に記載のデバイス。
【請求項１１】
前記信号トランスデューサは、少なくとも二つまたは四つの信号電極を備える請求項９または１０に記載のデバイス。
【請求項１２】
前記信号電極は、異なる双極子電界および／または四極子電界を生成するために切り替え可能である請求項１１に記載のデバイス。
【請求項１３】
前記異なる双極子電界および／または四極子電界からの信号は、アルゴリズムによって組み合わされ、単一の切り替えられない電界からの信号に比べて角度依存性が向上した複合信号を生成する請求項１２に記載のデバイス。
【請求項１４】
前記システムの長手方向の位置合わせを可能にするために前記信号電極の近位および／または遠位に配置された一つ以上の環状電極をさらに備える請求項９〜１３のいずれか１項に記載のデバイス。
【請求項１５】
前記貫通部材は中空針を備え、好ましくは、前記中空針は形状記憶から形成され、より好ましくは、前記中空針は前記中空針の展開の一部として湾曲するように加熱される請求項９〜１４のいずれか１項に記載のデバイス。
【手続補正２】
【補正対象書類名】明細書
【補正対象項目名】発明の名称
【補正方法】変更
【補正の内容】
【発明の名称】自己血管使用皮下動静脈瘻（ＡＶＦ）の経皮作成用の外科システムおよび外科デバイス